【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
無線送受信機と、
プロセッサと、を備え、
前記プロセッサが前記ＷＴＲＵに、
前記無線送受信機を用いて、プライマリセル及び非プライマリセルと通信させ、
前記プライマリセルを介し、かつ前記非プライマリセルを介さずに前記ＷＴＲＵによって受信され、前記非プライマリセルのダウンリンク共有データチャネルを識別するメッセージを処理させ、
前記無線送受信機を用いて、前記識別されるダウンリンク共有データチャネルを通じて情報を受信させる、ＷＴＲＵ。
【請求項２】
請求項１に記載のＷＴＲＵにおいて、前記受信されるメッセージは、前記ダウンリンク共有データチャネルを識別する制御情報を含み、前記プライマリセルを介し、かつ前記非プライマリセルを介さずにダウンリンク共有制御チャネルを通じて受信される、ＷＴＲＵ。
【請求項３】
請求項２に記載のＷＴＲＵにおいて、前記ダウンリンク共有制御チャネルは、前記プライマリセルの複数のダウンリンク共有制御チャネルの１つである、ＷＴＲＵ。
【請求項４】
請求項１に記載のＷＴＲＵにおいて、前記受信されるメッセージは、前記非プライマリセルの複数のダウンリンク共有データチャネルを識別する、ＷＴＲＵ。
【請求項５】
請求項４に記載のＷＴＲＵにおいて、前記ＷＴＲＵは、前記無線送受信機を用いて、前記識別される複数のダウンリンク共有データチャネルを通じて情報を受信する、ＷＴＲＵ。
【請求項６】
無線送受信ユニット（ＷＴＲＵ）を用いて、プライマリセル及び非プライマリセルと通信することと、
前記プライマリセルを介し、かつ前記非プライマリセルを介さずに前記ＷＴＲＵによって受信され、前記非プライマリセルのダウンリンク共有データチャネルを識別するメッセージを前記ＷＴＲＵによって処理することと、
前記ＷＴＲＵによって、前記識別されるダウンリンク共有データチャネルを通じて情報を受信することと、を含む、方法。
【請求項７】
請求項６に記載の方法において、前記受信されるメッセージは、制御情報を含み、前記プライマリセルを介し、かつ前記非プライマリセルを介さずにダウンリンク共有制御チャネルを通じて受信される、方法。
【請求項８】
請求項７に記載の方法において、前記ＷＴＲＵによって、前記プライマリセルの複数のダウンリンク共有制御チャネルの１つを通じて前記制御情報を受信することをさらに含む、方法。
【請求項９】
請求項６に記載の方法において、前記受信されるメッセージは、前記非プライマリセルの複数のダウンリンク共有データチャネルを識別する、方法。
【請求項１０】
請求項９に記載の方法において、前記情報は、前記識別される複数のダウンリンク共有データチャネルを介して受信される、方法。
【請求項１１】
無線送受信ユニット（ＷＴＲＵ）であって、
無線送受信機と、
プロセッサと、を備え、
前記プロセッサが前記ＷＴＲＵに、
前記無線送受信機を用いて、プライマリセル及び複数の非プライマリセルと通信させ、
前記プライマリセルを介し、かつ前記複数の非プライマリセルのいずれも介さずに前記ＷＴＲＵによって受信され、前記複数の非プライマリセルの１つに対応するダウンリンク共有データチャネルを識別するメッセージを処理させ、
前記無線送受信機を用いて、前記識別されるダウンリンク共有データチャネルを通じて情報を受信させる、ＷＴＲＵ。
【請求項１２】
請求項１１に記載のＷＴＲＵにおいて、前記受信されるメッセージは、制御情報を含み、前記プライマリセルを介し、かつ前記複数の非プライマリセルのいずれも介さずにダウンリンク共有制御チャネルを通じて受信される、ＷＴＲＵ。
【請求項１３】
請求項１２に記載のＷＴＲＵにおいて、前記プロセッサが前記ＷＴＲＵに、
さらに、前記無線送受信機を用いて、前記プライマリセルの複数のダウンリンク共有制御チャネルの１つを通じて、かつ前記複数の非プライマリセルのダウンリンク共有制御チャネルのいずれも通じずに、前記制御情報を受信させる、ＷＴＲＵ。
【請求項１４】
請求項１１に記載のＷＴＲＵにおいて、前記受信されるメッセージは、前記複数の非プライマリセルの１つに対応する複数のダウンリンク共有データチャネルを識別する、ＷＴＲＵ。
【請求項１５】
請求項１４に記載のＷＴＲＵにおいて、前記ＷＴＲＵは、前記無線送受信機を用いて、前記識別される複数のダウンリンク共有データチャネルを通じて情報を受信する、ＷＴＲＵ。
【請求項１６】
無線送受信ユニット（ＷＴＲＵ）によって、プライマリセル及び複数の非プライマリセルと通信することと、
前記プライマリセルを介し、かつ前記複数の非プライマリセルのいずれも介さずに前記ＷＴＲＵによって受信され、前記複数の非プライマリセルの１つに対応するダウンリンク共有データチャネルを識別するメッセージを前記ＷＴＲＵによって処理することと、
前記ＷＴＲＵによって、前記識別されるダウンリンク共有データチャネルを通じて情報を受信することと、を含む、方法。
【請求項１７】
請求項１６に記載の方法において、前記受信されるメッセージは、制御情報を含み、前記プライマリセルを介し、かつ前記複数の非プライマリセルのいずれも介さずにダウンリンク共有制御チャネルを通じて受信される、方法。
【請求項１８】
請求項１７に記載の方法において、さらに、前記ＷＴＲＵによって、前記プライマリセルの複数のダウンリンク共有制御チャネルを通じて前記制御情報を受信することを含む、方法。
【請求項１９】
請求項１６に記載の方法において、前記受信されるメッセージは、前記複数の非プライマリセルの１つに対応する複数のダウンリンク共有データチャネルを識別する、方法。
【請求項２０】
請求項１９に記載の方法において、前記ＷＴＲＵは、前記識別される複数のダウンリンク共有データチャネルを介して前記情報を受信する、方法。
【請求項２１】
ネットワークノードであって、
無線送受信機と、
プロセッサと、を備え、
前記プロセッサが前記ネットワークノードに、
前記無線送受信機を用いて、プライマリセルのみを介して、非プライマリセルのダウンリンク共有データチャネルを識別するメッセージを無線送受信ユニット（ＷＴＲＵ）へ送信させる、ネットワークノード。
【請求項２２】
請求項２１に記載のネットワークノードにおいて、前記メッセージは、さらに制御情報を含み、ダウンリンク共有制御チャネルを通じて、前記プライマリセルのみを介して前記ＷＴＲＵへ送信される、ネットワークノード。
【請求項２３】
請求項２２に記載のネットワークノードにおいて、前記ダウンリンク共有制御チャネルは、前記プライマリセルに特有の複数のダウンリンク共有制御チャネルの１つである、ネットワークノード。
【請求項２４】
無線送受信ユニット（ＷＴＲＵ）と通信するためにネットワークノードを操作することと、
前記ネットワークノードを用いて、非プライマリセルのダウンリンク共有データチャネルを識別するメッセージをプライマリセルのみを介して前記ＷＴＲＵへ送信することと、を含む、方法。
【請求項２５】
請求項２４に記載の方法において、前記メッセージは、さらに制御情報を含み、ダウンリンク共有制御チャネルを通じて、前記プライマリセルのみを介して前記ＷＴＲＵへ送信される、方法。
【請求項２６】
請求項２５に記載の方法において、複数のダウンリンク共有制御チャネルの１つを通じて、前記制御情報を前記ＷＴＲＵへ前記プライマリセルのみを介して伝送することをさらに含む、方法。
【請求項２７】
請求項２４に記載の方法において、プロセッサによって、前記プライマリセル及び前記非プライマリセルを制御することをさらに含む、方法。
【請求項２８】
無線送受信ユニット（ＷＴＲＵ）と通信するために、それぞれの無線送受信機を用いてプライマリセル及び非プライマリセルを操作することと、
前記プライマリセルのみを介して前記ＷＴＲＵへメッセージを送信することと、を含み、
前記メッセージは、前記非プライマリセルによって搬送されるダウンリンク共有データチャネルを識別し、
前記識別されるダウンリンク共有データチャネルは、前記ＷＴＲＵに対する情報を搬送する、方法。
【請求項２９】
請求項２８に記載の方法において、前記メッセージは、制御情報を含み、ダウンリンク共有制御チャネルを通じて、前記ＷＴＲＵへ前記プライマリセルのみを介して送信される、方法。
【請求項３０】
請求項２９に記載の方法において、複数のダウンリンク共有制御チャネルの１つを通じて、前記制御情報を前記ＷＴＲＵへ前記プライマリセルのみを介して伝送することをさらに含む、方法。
【請求項３１】
請求項２８に記載の方法において、プロセッサによって、前記プライマリセル及び前記非プライマリセルを制御することをさらに含む、方法。
【請求項３２】
無線ネットワークを操作する方法であって、
無線送受信ユニット（ＷＴＲＵ）と通信するためにプライマリセル及び非プライマリセルを操作することと、
前記非プライマリセルのダウンリンク共有データチャネルを識別するメッセージを前記プライマリセルのみを介して前記ＷＴＲＵへ送信することと、を含む、方法。
【請求項３３】
請求項３２に記載の方法において、前記メッセージは、制御情報をさらに含み、ダウンリンク共有制御チャネルを通じて、前記ＷＴＲＵへ前記プライマリセルのみを介して送信される、方法。
【請求項３４】
請求項３３に記載の方法において、複数のダウンリンク共有制御チャネルの１つを通じて、前記制御情報を前記ＷＴＲＵへ前記プライマリセルのみを介して伝送することをさらに含む、方法。